【事件の表示】
　特許第２９６９３３７号「プロポリスのエタノール抽出液によるリング形成の軽減、懸濁、沈殿生成の防止及び品質を安定させる製造方法」の請求項１に係る特許に対する特許異議の申立てについて、次のとおり決定する。
【結　論】
　訂正を認める。
　特許第２９６９３３７号の請求項１に係る特許を維持する。
【理　由】
Ｉ．手続の経緯
　本件特許第２９６９３３７号に係る発明についての出願は、平成８年１０月４日に特願平８−２９６９９６号として出願され、平成１１年８月２７日にその特許の設定登録がなされ、その後、日本香料工業会より特許異議申立がなされ、取消理由通知がなされ、その指定期間内である平成１２年１０月５日に訂正請求がなされたものである。
　
II．訂正請求
１．訂正の内容
(1)特許請求の範囲の請求項１に係る記載「プロポリスのエタノール抽出液を冷却機で０℃以下の一定温度に設定し、冷却しながら濾過して得るプロポリス抽出液」を、「プロポリスのエタノール抽出液を冷却機で０℃以下〜−５℃以上の一定温度に設定し、冷却しながら濾過して得るプロポリス抽出液」と訂正する。
(2)明細書段落【0006】、【0007】、及び【0013】の「０℃以下」を、「０℃以下〜−５℃以上」と訂正する。
２．訂正の目的の適否、新規事項の有無及び拡張・変更の存否
　上記訂正事項(1)は、「０℃以下」を「０℃以下〜−５℃以上」に訂正するものであるから特許請求の範囲の減縮に該当し、訂正事項(2)は、「０℃以下」を「０℃以下〜−５℃以上」に訂正するものであるから、明りょうでない記載の釈明に該当する。
　そして、明細書段落【0010】には、「・・・４の抽出液を−５℃に冷却し、・・・」との記載があるから、上記いずれの訂正も新規事項に該当せず、また、実質上特許請求の範囲を拡張し、または変更するものではない。
　
３．むすび
　以上のとおりであるから、本件訂正請求は、特許法１２０条の４,２項、及び同条３項で準用する１２６条２項及び３項の規定に適合するので、請求のとおり当該訂正を認める。
　
III．特許異議申立
１．特許異議申立書の理由の概要
　訂正前の本件請求項１に係る発明は、甲第１号証（特開昭５９−９６１９９号公報）に記載された発明であるから、特許法２９条１項３号の規定に該当し、特許を受けることができない。
　
２．甲１号証の記載内容
　甲第１号証には、
「(1)ａ．粗蜂ろうおよび未加工蜜ろうからなる群から一定量の原料物質を選ぶ工程、
ｂ．該選ばれた一定量の原料物質を容器に入れ、これを溶媒で覆う工程、ただし原料５００ｇ当たり約１〜１．５ｌの溶媒を使用し、該溶媒はエチルアルコール、イソプロピルアルコール、ｎ−ブチルアルコール，ｓｅｃ−ブチルアルコール、ｔｅｒｔ−ブチルアルコール、エチルエーテル、ベンジルアルコール、プロピレングリコール、ジメチルスルホキシド、エチレングリコール、ｎ−プロピルアルコール、メチルアルコール、ベンジルベンゾエート、アセトン、ポリエチレングリコール、氷酢酸、これらの溶媒の水性溶液およびこれらの混合物からなる群から選ばれる、
ｃ．工程ｂの混合物を、約０〜３７℃の温度にて約１〜１０日間、周期的に撹拌しつつ維持して蜂ろう含有溶液を得る工程、
ｄ．該溶液を濾過して、蜂ろう含有溶液を得る工程、および
ｅ．前記溶媒を前記濾液から除いて、乾燥蜂ろう粉末を得る工程、
を含む、蜂ろうの抽出方法。
　　・・・
(5)前記方法が更に蜂ろうの精製工程を含み、該工程が
ｄ(1)前記蜂ろう含有濾液を高くとも約−２０℃の温度に冷却し、・・・」（特許請求の範囲の項）、
「本発明は粗製蜂ろう（propolis）並びに未加工蜜ろう（beeswax）から、乾燥蜜ろう粉末を得るための蜂ろうを抽出する新規方法に関する。」（３頁左下欄２〜４行）、
「実施例８
　約５００ｇの清澄粗蜂ろうを琥珀ガラス容器内に入れ、約１ｌの乾燥エタノールで覆つた。この混合物を室温にて約１０日間、１日につき数回振盪しながら放置した。１０日の終了時点において、抽出物をwhatman No.1濾紙を通して濾過した。
この蜂ろう含有濾液を更に精製するために、約−２０℃にて約２４時間冷却した。この期間の終了時に該抽出物は粘稠かつ不透明となることが観測された。次いで、冷却された濾液を振盪し、かつ−２０℃の温度に維持したまま、whatman No.1濾紙を通して濾過した。これによって、極めて清澄な精製蜂ろう含有濾液が得られた。約７０℃にて約４８時間もしくは乾燥するまで温置することにより、溶媒を精製濾液から除去した。生成した物質は有機溶媒可溶性の乾燥蜂ろう粉末であった。」が記載されている。
　
３．判断
　甲第１号証は、プロポリスのエタノール抽出液を濾過する工程を有するところ、該濾過は、特許請求の範囲(5)及び実施例８の記載に徴し、「高くとも−２０℃の温度」で実施するものである。
　しかるに、訂正後の請求項１に係る発明（以下、「本件発明」という。）は、濾過を「０℃以下〜−５℃以上」で実施するものであるから、本件発明と甲第１号証に記載された発明とは、濾過を実施する温度で相違する。
　そうすると、本件発明は、甲第１号証に記載された発明であるとはいえない。
　
３．まとめ
　以上のとおりであるから、特許異議申立の理由及び証拠によっては、本件発明についての特許を取り消すことはできない。
　また他に本件発明についての特許を取り消すべき理由を発見しない。
　よって、結論のとおり決定する。
【異議決定日】
平成１３年１月２２日（２００１．１．２２）
【訂正の要旨】
（訂正の要旨）
（１）特許請求の範囲の請求項１に係る記載「プロポリスのエタノール抽出液を冷却機で０℃以下の一定温度に設定し、冷却しながら濾過して得るプロポリス抽出液」を、特許請求の範囲の減縮を目的として「プロポリスのエタノール抽出液を冷却機で０℃以下〜−５℃以上の一定温度に設定し、冷却しながら濾過して得るプロポリス抽出液」と訂正する。
（２）明細書段落【０００６】、【０００７】、及び【００１３】の「０℃以下」を、明りょうでない記載の釈明を目的として「０℃以下〜−５℃以上」と訂正する。
（５４）【発明の名称】
プロポリスのエタノール抽出液によるリング形成の軽減、懸濁、沈殿生成の防止及び品質を安定させる製造方法
（５７）【特許請求の範囲】
　　【請求項１】　プロポリスのエタノール抽出液を冷却機で０℃以下
〜−５℃以上
【発明の詳細な説明】
　　　　【０００１】
　　【発明の属する技術分野】
　本発明は、プロポリスのエタノール抽出液を冷却機で、０℃以下の一定温度で冷却しながら濾過する製造方法に関する。
　　　　【０００２】
　　【従来の技術】
　従来のプロポリス抽出液の濾過においては、気候、温度に関係なく濾過している。
　　　　【０００３】
　　【発明が解決しようとする課題】
　従来のプロポリス抽出にあっては、抽出に使用したエタノールにプロポリスの成分と共にプロポリス原塊中に含まれる樹脂、蝋も抽出され、その量はエタノール濃度によって異なり、樹脂、蝋の析出によって生じるリング形成、懸濁、沈殿の度合いもエターノルの濃度によって異なる。例えば、９５．１容量％エタノールを使用して得たプロポリス抽出液は、７６．９容量％エタノールを使用して得た抽出液よりリング形成、懸濁、沈殿量は多くなるが、エタノールに抽出されるプロポリス成分含有量も多くなるため、濃度の濃いエタノールを使用して抽出すれば、飲用時の希釈によって生じる容器のリング付着は多くなり、濾過時の温度より濾過後の温度が降下すれば懸濁、沈殿が顕著に現れ、また、エタノール濃度の濃淡に関係なく、濾過時の温度の違いによってエタノールに抽出されるプロポリス成分含有量が異なるため、品質にばらつきが生じるという問題点があった。
　　　　【０００４】
　本発明は、プロポリス抽出液を希釈して飲用する際に容器に付着するリング形成を軽減し、濾過時の温度より濾過後の温度が降下することにより生じる懸濁、沈殿を防止し、濾過時の温度差による品質のばらつきを解消して、安定した均一質の抽出液を得る製造方法を提供することを目的としている。
　　　　【０００５】
　　【課題を解決するための手段】
　上記目的を達成するために、本発明においては、プロポリスの抽出液を濾過して得た濾液を一定温度で冷却しながら、さらに、濾過することにより問題点を解決している。
　　　　【０００６】
　上記冷却しながらの温度は、冷却しつつ濾過するのであるが、後記する理由により０℃以下
〜−５℃以上
　　　　【０００７】
　プロポリス抽出に使用するエタノールにプロポリス原塊中の樹脂、蝋が抽出され、それが、希釈、温度降下により析出し、リング形成、懸濁、沈殿生成の問題点を生じるが、０℃以下
〜−５℃以上
　　　　【０００８】
　また、温度の違いにより生じる品質のばらつきを解消して、安定した均一質の抽出液を得るために、一定に設定した温度を保ちつつ濾過することが好ましい。
　　　　【０００９】
　　【発明の実施の形態】
　瓶に入れたプロポリス抽出液を冷凍庫に入れ冷却して得た濾液を、漏斗を設けたもう一つの瓶に濾過して冷却された抽出液を得る。
　　　　【００１０】
　　【実施例】
　以下、添付図面に従って一実施例を説明する。１は冷凍庫の蓋、２は冷凍庫の外側、３は冷凍庫の内部で、この中に４のプロポリス抽出液の入った５の瓶を入れ、４の抽出液を−５℃に冷却し、６の瓶に設けた７の漏斗の中の、８の濾紙に、９の冷却されたプロポリス液を通して、１０の冷却濾過したプロポリス抽出液を得る。
　　　　【００１１】
　上記の実施例は少量作るには良いが、多量の抽出液を製造するには、冷凍庫の代わりに冷凍室の中で冷却しながら作業を行う。
　　　　【００１２】
　　【発明の効果】
　本発明は、以上説明したように低温で処理されているので、以下に記載されるような効果を奏する。
　　　　【００１３】
　エタノールで抽出したプロポリス液を０℃以下
〜−５℃以上
　　　　【００１４】
　そして、濾過時の温度より抽出後の温度が降下ることにより生じる懸濁を防止できる。
　　　　【００１５】
　また、低温で処理することにより、プロポリス液中の樹脂、蝋を事前に析出せしめ、抽出液に生じる沈殿の発生を防止できる。
　　　　【００１６】
　さらに、濾過時の温度によってエタノールに抽出されるプロポリス成分含有量が異なるため、濾過時の温度の違いは品質にばらつきを生じるが、温度を一定に保ちつつ濾過することにより、安定した均一質の抽出液を得ることができる。
【図面の簡単な説明】
　【図１】
　　冷凍庫内で冷却して濾過するプロポリス抽出液の一実施例を示す正面図である。
　【符号の説明】
　１冷凍庫の蓋
　２冷凍庫の外側
　３冷凍庫の内部
　４プロポリス抽出液
　５、６瓶
　７漏斗
　８濾紙
　９冷却されたプロポリス液
　１０冷却濾過後のプロポリス抽出液